(57)【要約】【課題】軌道レール特有の長尺で而も相当な重量物でると同時にその挟着面であるレール頭部の側面が極めて狭いという課題に対し、ワイヤーに直接通して掛けることなく機械的に吊上げ作業が行えることとし、而もそのレールを左右から挟んだ状態でクランプが開かない様にロックを作用させ、より安全に軌道レールの吊上作業が出来ることとした。【解決手段】レールの頭部を左右より挟持する２枚の前後クランプと、クランプの反転方向に対し、直交方向に反転するロックアームとを夫々吊金具に軸支持し、而も前後クランプがレールの頭部を左右より挟持した状態において、該前後クランプをロックさせることによって、軌道レールをワイヤー掛けに頼ることなく機械的に吊上げ作業が行え、且つそのレールを左右から挟んだ状態でクランプが開かない様にし、より安全に軌道レールの吊上作業が行えることとしたレール吊上げ装置。【選択図】    図１
0003115728.tif 000002
【実用新案登録請求の範囲】
【請求項１】
一定間隔をおいた前後支持板及びこの前後支持板と直交する左右フレーム板とで成した吊金具と、Ｉ型レールの頭部を左右より挟持する引掛爪を下端に、且つ上端に係合部を夫々有する２枚の前後クランプと、この前後クランプを左右に反転する様に前後支持板に軸支持し、更に前記クランプの反転方向に対し、直交方向に反転するロックアームと、このロックアームをフレーム板間に軸支持し、而も前後クランプの引掛爪がＩ型レールの頭部を左右より挟持した状態において、該前後クランプの係合部間に亘ってロックアームのロック部が介入することを特徴とするレール吊上げ装置。
【請求項２】
前後クランプの引掛爪は、Ｉ型レールの頭部の首部を抱込む張出部とこの張出部から爪間が下広状に形成されると共に、該頭部に沿って前後クランプが左右に反転する傾斜面とで成したことを特徴とした請求項１記載のレール吊上げ装置。
【請求項３】
前後クランプの夫々の上端にレバーを設け、互いに内側に引き寄せることによって軸を中心に下端の引掛爪間が互いに開くようにしたことを特徴とした請求項１記載のレール吊上げ装置。
【請求項４】
ロックアームは吊下げワイヤーの締結レバーを有し、このレバーは軸の縦中心線より一定角度傾斜してワイヤーの引張りによってその傾斜状態から垂直状態に回動するに伴ってロックアームのロック部が前後クランプの係合部間に亘って介入することを特徴とした請求項１〜３記載のレール吊上げ装置。
【考案の詳細な説明】
【技術分野】
【０００１】
本考案は軌道レールを吊り上げて目的場所に搬送するために用いられるレール吊上げ装置に関する。
【背景技術】
【０００２】
一般的に軌道レールの吊上げは、ワイヤーの下端ループにレールの両端を夫々通し、クレーンにて搬送するのが通例である。然しながらこれらのレールは２５ｍと長く、而も重量も約１トンとなり、単なるワイヤー掛けでの作業ではレールがバランスを崩してずり抜ける等の危険性を伴った。
そこで、レールを機械的にクランプする方法が考えられる。基本的には上記文献の如く、左右よりクランプにて目的物を挟着するのであるが、この文献は鋼板をクランプするものであるから、そのクランプの挟着面を相当広く採ることが出来る。然しながらこの発想をそのまま軌道レールの吊上げに転用することは、極めて容易ではない。
即ち、上記に述べた様に軌道レールはＩ型の長尺で而も相当な重量物であることと、挟着面であるレール頭部の側面は極めて狭く、従って鋼板の様に広い面積でクランプ出来ない所に課題が残る。
【特許文献１】実開平３−３８８８５
【考案の開示】
【考案が解決しようとする課題】
【０００３】
本考案は軌道レール特有の長尺で而も相当な重量物でると同時にその挟着面であるレール頭部の側面が極めて狭いという課題に対し、ワイヤーに直接通して掛けることなく機械的に吊上げ作業が行えることとし、而もそのレールを左右から挟んだ状態でクランプが開かない様にロックを作用させ、より安全に軌道レールの吊上作業が出来ることとした。
【課題を解決するための手段】
【０００４】
以上を解決するために本考案は、レールの頭部を左右より挟持する２枚の前後クランプと、クランプの反転方向に対し、直交方向に反転するロックアームとを夫々吊金具に軸支持し、而も前後クランプがレールの頭部を左右より挟持した状態において、該前後クランプをロックさせることによって、軌道レールをワイヤー掛けに頼ることなく機械的に吊上げ作業が行え、且つそのレールを左右から挟んだ状態でクランプが開かない様にし、より安全に軌道レールの吊上作業が行えることとした。
【考案の効果】
【０００５】
(１)請求項１により、軌道レール特有の長尺で而も相当な重量物でると同時にその挟持面であるレール頭部の側面が極めて狭くとも２枚の前後クランプの引掛爪が左右より頭部の首部を抱込む様に引掛け、而もクランプの引掛爪がＩ型レールの頭部を左右より挟持した状態において、該前後クランプの係合部間に亘ってロックアームのロック部が介入するので、ロックされたクランプは開かず、クランプからレールが脱落することもなく、安全に軌道レールの吊上作業が出来る。
(２)請求項２により、クランプを下ろすに従って引掛爪の傾斜面がレール頭部に沿と共に、その自重でクランプが自然に広がり頭部の首部を抱込む様に引掛かることとなり、吊上げ作業がより安全に行える。
【０００６】
(３)請求項３により、レールを所定の場所に搬送後下ろす場合、クランプの夫々の上端レバーを互いに内側に引寄せれば、軸を中心に下端の引掛爪間が互いに開くことが出来、簡単にクランプを解除出来ると共に、而も一人の作業者が両手で操作することから、手先をレールとクランプの引掛爪近辺に持っていくことがなく、従って作業の安全性が向上する。
(４)請求項４により、ワイヤーを引張ればロックアームの締結レバーが傾斜状態から垂直状態に回動するに伴いロック部が前後クランプの係合部間に亘って介入し、自動的にクランプのロックが完了し、吊上げ作業は極めて効率的且つ的確に進めることが出来る。
【考案を実施するための最良の形態】
【０００７】
以下本考案の実施の形態を示す図面に基づいて説明する。
図１、及び図２に示す如く、軌道用のＩ型レールТは頭部Тａと首部Тｂ、更に着座部Тｃより成っている。このレールТの吊金具１は、図３、図４、図５に示す如く、ベース２の上面に平行する前後支持板３，３と、これに直交する左右のフレーム板４、４とを直立させると共に、而もフレーム板４、４には前後支持板３，３が一定間隔を置いて直立する様窓孔５、５を形成している。この前後支持板３，３間には２枚の前後クランプ６、６が上端を軸孔７に挿通した軸８にて左右に反転する様に支持されている。更に前後クランプ６、６の下端にはレール頭部Тａを左右より挟持する引掛爪６ａ、６ａ
を有する。図１において前後クランプ６、６が開いた状態を破線で示す。この引掛爪６ａ、６ａはレール頭部Тａの首部Тｂを抱込む張出部６ｂ、６ｂと傾斜面６ｃ、６ｃとで成している。
左右のフレーム板４、４間にはロックアーム９が上端を軸孔１０に挿通した軸１１にて、前記クランプ６、６の反転方向に対し、直交方向に反転する様に支持されている。図２においてロックアーム９が開いた状態を破線で示す。
【０００８】
このロックアーム９の下端にはロック部９ａを有しており、クランプ６、６の引掛爪６ａ、６ａがレール頭部Тａを左右より挟持した状態において、図２に示す如く、該前後クランプ６、６の係合部１２、１２間に亘って介入する。而して、この係合部１２、１２とは、ロックアーム９が反転してロック部９ａと係合すればよいのであるから、実施例の如く凹部形状に限らず、貫通孔としロック部９ａを棒状としてもよい。
又、ロックアーム９の足片１３が垂下しており、レール頭部Тａを上側から押え込み、下側の引掛爪６ａ、６ａとの３点でレール頭部Тａを保持し、  確実に吊上げる。
更に、ロックアーム９は吊下げワイヤーＷの締結レバー１４を有し、この締結レバー１４は軸１１の縦中心線Ｘ−Ｘより一定角度Ｒを傾斜してワイヤーＷの引張りによってその傾斜状態から垂直状態に回動するに伴ってロックアーム９のロック部９ａが前後クランプ６、６の係合部１２、１２間に亘って介入することになる。勿論、ワイヤーＷを直接フレーム板４、４に懸架してもよい。
又、ロックアーム９の操作が容易となる様に握手１５を設けている。
【０００９】
前後クランプ６、６の夫々の上端にはレバー１６、１６を設け、互いに内側に引き寄せることによって軸８を中心に下端の引掛爪６ａ、６ａ間が互いに開くこととなる。
【図面の簡単な説明】
【００１０】
【図１】本考案レール吊上げ装置を示す正面図
【図２】同上の側面図
【図３】吊金具の正面図
【図４】同上の側面図
【図５】同上の平面図
【図６】クランプの正面図
【図７】ロックアームの正面図
【図８】分解斜視図
【符号の説明】
【００１１】
Т  Ｉ型レール
Тａ  頭部  
Тｂ  首部
1    吊金具
2  ベース
3  前後支持板
4  左右のフレーム
６  前後クランプ
６ａ  引掛爪
６ｃ  引掛爪
８  軸
９  ロックアーム
１１  軸
１２  係合部
１３  足片
１４  締結レバー
１６  レバー
Ｗ  ワイヤー
【図１】
0003115728.tif 000003
【図２】
0003115728.tif 000004
【図３】
0003115728.tif 000005
【図４】
0003115728.tif 000006
【図５】
0003115728.tif 000007
【図６】
0003115728.tif 000008
【図７】
0003115728.tif 000009
【図８】
0003115728.tif 000010